(57)【特許請求の範囲】
【請求項１】
合わせマス内に上方より挿入される断面形状が角形でその両側壁に長手方向に沿って連続して溝部が設けられている複数の竪樋を一体に保持する竪樋保持具であって、
帯状の連結部材と、平面視コ字形の複数の樋保持部材とからなり、各樋保持部材が連結部材を介して一体に固着され、前記各樋保持部材の両端部に、前記竪樋の溝部に嵌合係止されて竪樋を挟持する係止部が設けられていることを特徴とする竪樋保持具。
【請求項２】
連結部材、又は、樋保持部材の少なくとも一方に、合わせマスの壁部上端に係止される引掛部が設けられていることを特徴とする請求項１記載の竪樋保持具。
【発明の詳細な説明】
【０００１】
【発明の属する技術分野】
本発明は、合わせマス内で２本の竪樋を保持する竪樋保持具に関する。
【０００２】
【従来の技術】
従来、合わせマス内で２本の竪樋を保持する一般的な方法としては、銅線等で２本の竪樋を結ぶ方法が取られている。この方法は竪樋と呼び樋を銅線等で結ぶだけで保持でき、簡便で、安価なものである。
【０００３】
又、保持部を有した支持具としては、実開昭５５−７７６２７号公報記載のものが知られている。この支持具は、樋を抱持するリング状の樋受部と、支柱を抱持するリング状の取付部を一体に連接し、樋受部で竪樋を保持し、取付部で支柱を保持し、樋受部と取付部をそれぞれ開閉可能にすることによって、支柱や竪樋を傷等をつけることなく簡単かつ確実に取り付けることができる便利なものである。
【０００４】
【発明が解決しようとする課題】
ところが、前者のものは、施工後、銅線等で結んでいるため、竪樋や呼び樋を傷つき易く、風雪等の外力で竪樋や呼び樋が抜けることがあるという問題があった。又、後者のものは、元々、一体化された樋受部と取付部のうち、一方の取付部で支柱を保持し、他方の樋受部で竪樋を保持して、支柱にしっかりと竪樋を取り付けるために使われるもので、合わせマス内に収めるようにはなされておらず、この支持具で竪樋と呼び樋を繋ぎ合わせると、合わせマスの外に出て、見栄えが悪いという問題があった。
【０００５】
そこで、本発明の目的は、上記問題に着目してなされたもので、竪樋や呼び樋をワンタッチで簡単に連結でき、合わせマス内でしっかりと連結され、風雪等の外力で竪樋や呼び樋が抜けることがない竪樋保持具を提供するものである。
【０００６】
【課題を解決するための手段】
本発明は上記の目的を達成するためになされたもので、請求項１記載の発明は、合わせマス内に上方より挿入される断面形状が角形でその両側壁に長手方向に沿って連続して溝部が設けられている複数の竪樋を一体に保持する竪樋保持具であって、帯状の連結部材と、平面視コ字形の複数の樋保持部材とからなり、各樋保持部材が連結部材を介して一体に固着され、前記各樋保持部材の両端部に、前記竪樋の溝部に嵌合係止されて竪樋を挟持する係止部が設けられているものである。
【０００７】
請求項２記載の発明は、請求項１記載の竪樋保持具において、連結部材、又は、樋保持部材の少なくとも一方に、合わせマスの壁部上端に係止される引掛部が設けられているものである。
【０００８】
本発明における樋保持部材の形状は、竪樋や呼び樋を把持し、風雪等の外力で竪樋や呼び樋が抜けないように保持できるものであれば、適宜な形状のものでよく、例えば、左右アームと、この左右アームを繋ぐコ字状部材とからなり左右アームで竪樋や呼び樋を把持するようにしたものであると簡単な構造であるので、好ましい。
【０００９】
このとき、竪樋や呼び樋の形状に合わせて、竪樋や呼び樋が角形のもので側壁に垂直に溝部が設けられているものであれば、左右アームの先端部を内側に折り曲げて先端部が丸みをおびた係止部を設け、この係止部が溝部に嵌合するようにしておくと、しっかりと止めることができる。
【００１０】
本発明における連結部材の形状は、樋保持部材同士を繋ぎ、連結部材と両樋保持部材とを合わせマスに挿入することができれば、適宜な形状のものでよく、例えば、図２に示すように、竪樋や呼び樋が並列に並べられ、同方向になされている場合は、長方形状の小さな帯状体にし、この帯状体の両端部に樋保持部材を取り付けるようにし、又、図５に示すように、竪樋や呼び樋が異方向になされている場合は、Ｌ字形の小さな帯状体にし、この帯状体の両端部に樋保持部材を取り付けるようにすると、簡単な構造であるので、好ましい。
【００１１】
本発明における引掛具の形状は、連結部材、又は、樋保持部材に取り付けられ、合わせマスの壁部上端に引っ掛けて、係止できることができれば、適宜な形状でよく、例えば、一端部に鉤状の止め部と、他端部に取付部とが設けられ、他端部の取付部と樋保持部材とを鋲止めにしておくと、鉤状の止め部を合わせマスの側壁に引っ掛けて、竪樋保持具を合わせマスにしっかりと止めることができる。
【００１２】
連結部材と樋保持部材と引掛具の材質は、金属、合成樹脂等適宜なものでよく、例えば、金属にすると、連結部材と樋保持部材との接合、引掛具の連結部材、又は、樋保持部材への取付はスポット溶接、リベットで接合でき、頑丈で、耐久性が増すので、好ましく、合成樹脂にすると、連結部材と樋保持部材と引掛具とは一体成型でき、軽量であるので、好ましい。
【００１３】
（作用）請求項１記載の発明は、合わせマス内に上方より挿入される断面形状が角形でその両側壁に長手方向に沿って連続して溝部が設けられている複数の竪樋を一体に保持する竪樋保持具であって、帯状の連結部材と、平面視コ字形の複数の樋保持部材とからなり、各樋保持部材が連結部材を介して一体に固着され、前記各樋保持部材の両端部に、前記竪樋の係止溝部に嵌合係止されて竪樋を挟持する係止部が設けられているから、樋保持部材の両係止部を竪樋の両側壁の溝部に嵌合係止させて、樋保持部材で竪樋や呼び樋を把持することにより、しっかりと竪樋や呼び樋を結合することができ、風雪等の外力で竪樋や呼び樋が引っ張られても、抜けることがない。
【００１４】
又、竪樋保持具に竪樋や呼び樋を取り付けて、連結部材と樋保持部材とを合わせマスに挿入することにより、外から竪樋保持具が見えなくすることができ、美観になる。
【００１５】
請求項２記載の発明は、連結部材、又は、樋保持部材の少なくとも一方に、合わせマスの壁部上端に係止される引掛部が設けられているから、引掛具を合わせマスの側壁に引っ掛けることにより、竪樋保持具を合わせマスにしっかりと止めることができ、風雪等の外力で竪樋や呼び樋が引っ張られても、抜けることがない。
【００１６】
【発明の実施の形態】
本発明の第一実施例を図１〜図３に基づいて説明する。
図１は同方向になされた竪樋と呼び樋用の竪樋保持具の斜視説明図、図２は竪樋と呼び樋とが同方向になされ、合わせマスに挿入されている状態を示す説明図、図３は竪樋と呼び樋と合わせマスの使用状態を側方より見た説明図である。
【００１７】
図１に示すように、Ａは竪樋保持具であり、この竪樋保持具Ａは、合わせマス６内に上方より挿入される竪樋１と呼び樋３を一体に保持するものであって、連結部材５と、この連結部材５の一端部に設けられた竪樋１を把持するアーム状の竪樋保持部材２と、他端部に設けられた呼び樋３を把持するアーム状の呼び樋保持部材４とからなっている。竪樋保持部材２と呼び樋保持部材４とが連結部材５を介して一体に固着されている。
【００１８】
図２に示すように、竪樋１と呼び樋３とはほぼ同じ形状になされ、竪樋保持部材２と呼び樋保持部材４ともほぼ同じ形状になされている。竪樋１と呼び樋３の長手方向と、合わせマス６の長手方向とは同じになされ、竪樋保持具Ａは、竪樋保持部材２で竪樋１を把持し、呼び樋保持部材４で呼び樋３を把持した状態で、竪樋保持具Ａが合わせマス６に挿入できる大きさになされている。
【００１９】
竪樋保持部材２は、金属製の帯状体で、竪樋１の外周面に合わせたコ字形のアームになされ、右アーム２１と、左アーム２２と、右アーム２１と左アーム２２とを連結するコ字状の連結部２３とからなっている。この連結部２３のコ字状の開口は外方に向けられ、右側先端が右アーム２１に繋がれ、左側先端が左アーム２２に繋がれている。
【００２０】
竪樋保持部材２の長さは、竪樋１の両側壁のほぼ中央部の係止溝１１、１１を挟持できる長さになされ、右アーム２１と左アーム２２の両先端部には、両先端が内側に曲げられて係止部２４、２４が設けられ、係止部２４、２４が係止溝１１、１１に嵌められて、竪樋１を挟持できるようになされている。
【００２１】
呼び樋保持部材４は、金属製の帯状体で、呼び樋３の外周面に合わせたコ字形のアームになされ、右アーム４１と、左アーム４２と、右アーム４１と左アーム４２とを連結するコ字状の連結部４３とからなっている。この連結部４３のコ字状の開口は外方に向けられ、右側先端が右アーム４１に繋がれ、左側先端が左アーム４２に繋がれている。
【００２２】
呼び樋保持部材４の長さは、呼び樋３の両側壁のほぼ中央部の係止溝３１、３１を挟持できる長さになされ、右アーム４１と左アーム４２の両先端部には、両先端が内側に曲げられて係止部４４、４４が設けられ、係止部４４、４４が係止溝３１、３１に嵌められて、呼び樋３を挟持できるようになされている。
【００２３】
連結部材５は、長方形の金属製の帯状体で、一端部５１は竪樋保持部材２の右アーム２１のほぼ中央部の外周面に接続され、他端部５２は呼び樋保持部材４の左アーム４２のほぼ中央部の外周面に接続されている。
【００２４】
次に、第一実施例の竪樋保持具Ａの取付方法を説明しながら作用を説明する。
工場にて、竪樋保持部材２の右アーム２１に連結部材５の一端部５１が接合され、呼び樋保持部材４の左アーム４２に連結部材５の他端部５２が接合された竪樋保持具Ａを作り、施工現場に出荷する。
【００２５】
次に、図３に示すように、軒先の壁面に合わせマス６の取り付ける位置を決める。次に、この位置まで配置されている竪樋１の端部の係止溝１１、１１に竪樋保持部材２の右アーム２１と左アーム２２の両先端部の係止部２４、２４を嵌めて、竪樋１の端部に竪樋保持部材２を取り付け、呼び樋３についても、同様に、呼び樋３の端部の係止溝３１、３１に呼び樋保持部材４の右アーム４１と左アーム４２の両先端部の係止部４４、４４を嵌めて、呼び樋３の端部に呼び樋保持部材４を取り付ける。
【００２６】
次に、竪樋保持具Ａが取り付けられた竪樋１と呼び樋３の端部を上方から合わせマス６内に挿入し、この合わせマス６を軒先の壁面に固定具（図示省略）で固定する。次に、合わせマス６の下端部の竪樋接続口に別の竪樋１を接続する。
【００２７】
このようにすると、合わせマス６内に上方より挿入される複数の竪樋１を一体に保持する竪樋保持具Ａであって、連結部材５と竪樋保持部材２と呼び樋保持部材４とからなり、竪樋保持部材２と呼び樋保持部材４が連結部材５を介して一体に固着されているから、アーム状の竪樋保持部材２で竪樋１と呼び樋保持部材４で呼び樋３を把持することにより、しっかりと竪樋１と呼び樋３とを結合することができる。従って、風雪等の外力で竪樋や呼び樋が引っ張られても、抜けることがない。
【００２８】
又、竪樋保持具２に竪樋１を取り付け、呼び樋保持部材４に呼び樋３を取り付けて、竪樋保持部材２と呼び樋保持部材４と連結部材５とを合わせマス６に挿入することにより、竪樋１や呼び樋３の結合部分が外から見えなくすることができ、美観になる。
【００２９】
次に、第二実施例を図４及び図５に基づいて詳述する。図４は異方向になされた竪樋と呼び樋用の竪樋保持具の斜視説明図、図５は竪樋と呼び樋とが異方向になされ、合わせマスに挿入されている状態を示す説明図である。
図１に示す竪樋保持具Ａと異なるところは、竪樋と呼び樋とが異方向になされたもので、竪樋保持部材２ａと呼び樋保持部材４ａとがＬ字形の連結部材５ａで繋がれている点であり、その他の構造、使用方法と作用は殆ど同じであるので、この異なるところのみを説明し、その他の説明は省略する。
【００３０】
図４に示すように、Ｂは竪樋保持具であり、この竪樋保持具Ｂは、連結部材５ａと、この連結部材５ａの一端部に設けられた竪樋１ａを把持するアーム状の竪樋保持部材２ａと、他端部に設けられた呼び樋３を把持するアーム状の呼び樋保持部材４とからなっている。竪樋保持具Ｂは、竪樋保持部材２ａで竪樋１ａを把持し、呼び樋保持部材４で呼び樋３を把持した状態で、竪樋保持具Ｂが合わせマス６に挿入できる大きさになされている。
【００３１】
竪樋保持部材２ａは、金属製の帯状体で、竪樋１ａの外周面に合わせたコ字形のアームになされ、右アーム２１ａと、左アーム２２ａと、右アーム２１ａと左アーム２２ａとを連結するコ字状の連結部２３ａとからなっている。この連結部２３ａのコ字状の開口は外方に向けられ、右側先端が右アーム２１ａに繋がれ、左側先端が左アーム２２ａに繋がれている。
【００３２】
連結部材５ａは、Ｌ字形の金属製の帯状体で、一端部５１ａは竪樋保持部材２ａのコ字状の連結部２３ａの外周面に接続され、他端部５２は呼び樋保持部材４の左アーム４２のほぼ中央部の外周面に接続されている。
【００３３】
尚、図５に示すものは、合わせマス６の長手方向に対して竪樋１ａの長手方向がほぼ直交し、呼び樋３ａの長手方向が同方向になされており、竪樋１ａと呼び樋３ａとが異方向になされているが、この逆で、図示省略するが、合わせマス６の長手方向と竪樋１ａの長手方向が同方向になされ、呼び樋３ａの長手方向が合わせマス６の長手方向に対してほぼ直交しているものも考えられる。
【００３４】
次に、第二実施例の竪樋保持具Ｂの取付方法と作用については、第一実施例とほとんど同じであるので、説明は省略する。
【００３５】
次に、第三実施例を図６及び図７に基づいて詳述する。図６は竪樋と呼び樋とが同方向になされ、竪樋保持部材に引掛具が取り付けられている竪樋保持具の斜視説明図、図７は竪樋と呼び樋とが同方向になされ、合わせマスに挿入され、引掛具が合わせマス６の側壁の上端に引っ掛けられている状態を示す説明図である。
図１に示す竪樋保持具Ａと異なるところは、竪樋保持部材に引掛具が取り付けられている点であり、その他の構造、使用方法と作用は殆ど同じであるので、この異なるところのみを説明し、その他の説明は省略する。
【００３６】
図６及び図７に示すように、Ｃは竪樋保持具であり、この竪樋保持具Ｃは、連結部材５と、この連結部材５の一端部に設けられた竪樋１を把持するアーム状の竪樋保持部材２と、他端部に設けられた呼び樋３を把持するアーム状の呼び樋保持部材４と、竪樋保持部材２のコ字状の連結部２３の外周面に取り付けられた引掛具７とからなっている。
【００３７】
引掛具７は、金属製で、竪樋保持部材２のコ字状の連結部２３の外周面にほぼ垂直に取り付けられた小片７１と、この小片７１の上端先端部より外側に向けて鉤形の引掛片７２と、この引掛片７２の下端先端部が内側に折曲された鉤形の押え片７３とからなっている。
【００３８】
次に、第三実施例の竪樋保持具Ｃの取付方法を説明しながら作用を説明する。
工場にて、竪樋保持部材２の右アーム２１に連結部材５の一端部５１が接合され、呼び樋保持部材４の左アーム４２に連結部材５の他端部５２が接合され、竪樋保持部材２のコ字状の連結部２３の外周面に引掛具７が取り付けられた竪樋保持具Ｃを作り、施工現場に出荷する。
【００３９】
次に、この位置まで配置されている竪樋１と呼び樋３の端部に、竪樋保持部材２と呼び樋保持部材４とを嵌合させて、竪樋１と呼び樋３とに竪樋保持具Ｃを取り付ける。次に、竪樋保持具Ｃが取り付けられた竪樋１と呼び樋３の端部を上方から合わせマス６内に挿入し、引掛具７を上方から合わせマス６の内側側壁に引っ掛けて、引掛片７２を内側側壁の上端に当接させ、押え片７３で内側側壁を押圧して、竪樋保持具Ｃをしっかりと固定する（図７参照）。
【００４０】
このようにすると、竪樋保持具Ｃの竪樋保持部材２に引掛具７が取り付けられているから、引掛具７を合わせマスの内側側壁に引っ掛けることにより、竪樋保持具Ｃを合わせマス６にしっかりと止めることができ、簡単に、風雪等の外力で竪樋１や呼び樋３が引っ張られても、抜けることがない。
【００４１】
次に、第四実施例を図８に基づいて詳述する。図８は竪樋と呼び樋とが異方向になされ、呼び樋保持部材に引掛具が取り付けられている竪樋保持具の斜視説明図である。
図４に示す竪樋保持具Ｂと異なるところは、呼び樋保持部材に引掛具が取り付けられている点であり、その他の構造、使用方法と作用は殆ど同じであるので、この異なるところのみを説明し、その他の説明は省略する。
【００４２】
図８に示すように、Ｄは竪樋保持具であり、この竪樋保持具Ｄは、連結部材５ａと、この連結部材５ａの一端部に設けられた竪樋１ａを把持するアーム状の竪樋保持部材２ａと、他端部に設けられた呼び樋３を把持するアーム状の呼び樋保持部材４と、呼び樋保持部材４のコ字状の連結部４３の外周面に取り付けられた引掛具７とからなっている。
【００４３】
図８に示された引掛具７は、図６に示した第三実施例の引掛具７と同じであるので、説明は省略する。
【００４４】
次に、第四実施例の竪樋保持具Ｄの取付方法と作用については第三実施例と同じであるので、説明は省略する。
【００４５】
以上、本発明実施例を図面に基づいて説明してきたが、具体的な構成はこの実施例の限られるものではなく本発明の要旨を逸脱しない範囲の設計変更等があっても本発明に含まれる。例えば、第一実施例では、竪樋保持部材２と呼び樋保持部材４とが同方向に向いているが、竪樋保持部材２と呼び樋保持部材４とが逆方向になっていてもよい。又、引掛具７は、竪樋保持部材２ａと呼び樋保持部材４に取り付けられているが、連結部材５、又は、連結部材５ａに取り付けられていてもよい。
【００４６】
【発明の効果】
以上、説明してきたように、請求項１記載の発明は、合わせマス内に上方より挿入される断面形状が角形でその両側壁に長手方向に沿って連続して溝部が設けられている複数の竪樋を一体に保持する竪樋保持具であって、帯状の連結部材と、平面視コ字形の複数の樋保持部材とからなり、各樋保持部材が連結部材を介して一体に固着され、前記各樋保持部材の両端部に、前記竪樋の溝部に嵌合係止されて竪樋を挟持する係止部が設けられているから、樋保持部材の両係止部を竪樋の両側壁の溝部に嵌合係止させて、樋保持部材で竪樋や呼び樋を把持することにより、しっかりと竪樋や呼び樋を結合することができ、風雪等の外力で竪樋や呼び樋が引っ張られても、抜けることがない。
【００４７】
又、竪樋保持具に竪樋や呼び樋を取り付けて、連結部材と樋保持部材とを合わせマスに挿入することにより、外から竪樋保持具が見えなくすることができ、美観になる。
【００４８】
請求項２記載の発明は、連結部材、又は、樋保持部材の少なくとも一方に、合わせマスの壁部上端に係止される引掛部が設けられているから、引掛具を合わせマスの側壁に引っ掛けることにより、竪樋保持具を合わせマスにしっかりと止めることができ、風雪等の外力で竪樋や呼び樋が引っ張られても、抜けることがない。
【図面の簡単な説明】
【図１】本発明の第一実施例を示すもので、同方向になされた竪樋と呼び樋用の竪樋保持具の斜視説明図である。
【図２】竪樋と呼び樋とが同方向になされ、合わせマスに挿入されている状態を示す説明図である。
【図３】竪樋と呼び樋と合わせマスの使用状態を側方より見た説明図説明図である。
【図４】本発明の第二実施例を示すもので、異方向になされた竪樋と呼び樋用の竪樋保持具の斜視説明図である。
【図５】（イ）と（ロ）は竪樋と呼び樋とが異方向になされ、合わせマスに挿入されている状態を示す説明図である。
【図６】本発明の第三実施例を示すもので、竪樋と呼び樋とが同方向になされ、竪樋保持部材に引掛具が取り付けられている竪樋保持具の斜視説明図である。
【図７】竪樋と呼び樋とが同方向になされ、合わせマスに挿入され、引掛具が合わせマス６の側壁の上端に引っ掛けられている状態を示す説明図である。
【図８】本発明の第四実施例を示すもので、竪樋と呼び樋とが異方向になされ、呼び樋保持部材に引掛具が取り付けられている竪樋保持具の斜視説明図である。
【符号の説明】
Ａ、Ｂ、Ｃ、Ｄ  竪樋保持具
１、１ａ  竪樋
１１、３１  係止溝
２、２ａ  竪樋保持部材
２１、４１、２１ａ  右アーム
２２、４２、２２ａ  左アーム
２３、４３、２３ａ  連結部
２４、４４  係止部
３、３ａ  呼び樋
４、４ａ  呼び樋保持部材
５、５ａ  連結部材
５１  一端部
５２  他端部
６  合わせマス
７  引掛具
７１  小片
７２  引掛片
７３  押え片
【図１】
0004195157.tif 000002
【図２】
0004195157.tif 000003
【図３】
0004195157.tif 000004
【図４】
0004195157.tif 000005
【図５】
0004195157.tif 000006
【図６】
0004195157.tif 000007
【図８】
0004195157.tif 000008
【図７】
0004195157.tif 000009